(57)【要約】【課題】三つ折型の片手用キーケースにおいて、鍵の収納時に、キーケース本体の左右の台片の縁に鍵が引っかかる事なく、かつキーケース本体の中央片の中央部分に特別な加工をする事なく製造できる片手用キーケース、及び吊り下げた鍵の先端が、キーケース本体の下端から外に露出しにくい片手用キーケースを提供する。【解決手段】本体左部材と本体右部材との間の内側に本体中央部材を固着する事により、中央片の内側面の中央が、縦方向に沿って容易に山折に折れ曲がるキーケース本体の開閉装置を設けた。また、楕円型又は偏在軸型の回転式キーホルダーを用いた。【選択図】図１
2012125475.tif 000002
【特許請求の範囲】
【請求項１】
キーケース本体が、中央片と、この中央片の左端に連続する左折返し片及び右端に連続する右折返し片とから成るか、または、これに加えて、左折返し片の内側上に左折返し台片を、右折返し片の内側上に右折返し台片を、それぞれ固着したキーケース本体であり、かつ、左折返し片と右折返し片、左折返し片と右折返し台片、又は、左折返し台片と右折返し片の内のいずれか一組に、開閉部材を固着している、三つ折型であるキーケース本体において、左折返し片から中央片外側左部分までを形成する本体左部材と、右折返し片から中央片外側右部分までを形成する本体右部材との間の内側に、中央片の内側全部分を形成する本体中央部材を固着する事により、中央片の内側面の中央が、縦方向に沿って容易に山折に折れ曲がる、キーケース本体の開閉装置を設け、なおかつ中央片の内側面上の左上部位置と右上部位置に、それぞれ、鍵の吊り下げ部材を固着した事を特徴とする、片手用キーケース。
【請求項２】
請求項１のキーケース本体の開閉装置。
【請求項３】
請求項１のキーケース本体の開閉装置の製造方法。
【請求項４】
請求項１の片手用キーケースにおいて、鍵の吊り下げ部材が、車輪の形が横長の楕円形である楕円型の回転式キーホルダーであり、かつこの楕円型の回転式キーホルダーが、車輪の中心に中空の中心軸を、円周付近に中空の円周軸を、それぞれ設けた、二軸楕円型回転式キーホルダーである事を特徴とする、片手用キーケース。
【請求項５】
請求項４の二軸楕円型回転式キーホルダー
【請求項６】
請求項１の片手用キーケースにおいて、鍵の吊り下げ部材が、それぞれに固着用の穴を有する土台板と天板の、それぞれの上部位置の間を、フック金具を有するリングを貫通した中空の偏在軸で繋ぎ、かつ、この偏在軸の外側に中空の辺縁軸を設けた、偏在二軸型回転式キーホルダーである事を特徴とする、片手用キーケース。
【請求項７】
請求項６の、偏在二軸型回転式キーホルダー。
【発明の詳細な説明】
【技術分野】
【０００１】
本発明は、キーケースに関するものである。
【背景技術】
【０００２】
従来の片手用キーケースには、キーケース本体が、中央片と、開閉部材を有する左右の折返し片とから成る、三つ折型の物があった。そして、このキーケース本体の中央片の内側上には、回転式キーホルダーを固着した二つの台片があった。（例えば、特許文献１参照）
【０００３】
また別の片手用キーケースには、中央片の中央部分を縦方向に柔らかく加工したものもあった。（例えば、特許文献２参照） 
【特許文献１】国際公開番号: WO/2010/007737（第２０頁、図１）
【特許文献２】国際公開番号: WO/2010/007737（第２３頁、図８）
【発明の開示】
【発明が解決しようとする課題】
【０００４】
特許文献１の片手用キーケースの場合、鍵の吊り下げ部材に吊り下げた鍵を、鍵の使用後に内部に収納する際に、鍵がキーケース本体の左右の台片の縁に引っかかる現象が生じていた。
これは第一の課題である。
【０００５】
また、特許文献２の片手用キーケースの場合、中央片の中央部分を縦方向に柔らかく加工する手間がかかっていた。
これは第二の課題である。
【０００６】
さらに、従来の回転式キーホルダーを用いた片手用キーケースの場合、フック金具を垂らした回転式キーホルダー自体の、垂直方向の幅の長さのせいで、吊り下げた鍵の先端が、キーケース本体の下端から外に露出してしまい、鍵を完全に格納できない場合があった。
これは第三の課題である。
【０００７】
そこで本発明は、上記従来技術の問題点を解決し、鍵の収納時に、キーケース本体の左右の台片の縁に鍵が引っかかる事なく、かつキーケース本体の中央片の中央部分に特別な加工をする事なく製造できる片手用キーケース、及びこれら前記二つの課題に加えて、なおかつ、従来よりも、吊り下げた鍵の先端が、キーケース本体の下端から外に露出しにくい片手用キーケースの提供を課題としている。
【課題を解決するための手段】
【０００８】
請求項１の本発明について述べる。  キーケース本体が、中央片と、この中央片の左端に連続する左折返し片及び右端に連続する右折返し片とから成るか、または、これに加えて、左折返し片の内側上に左折返し台片を、右折返し片の内側上に右折返し台片を、それぞれ固着したキーケース本体であり、かつ、左折返し片と右折返し片、左折返し片と右折返し台片、又は、左折返し台片と右折返し片の内のいずれか一組に、開閉部材を固着している、三つ折型であるキーケース本体において、左折返し片から中央片外側左部分までを形成する本体左部材と、右折返し片から中央片外側右部分までを形成する本体右部材との間の内側に、中央片の内側全部分を形成する本体中央部材を固着する事により、中央片の内側面の中央が、縦方向に沿って容易に山折に折れ曲がるキーケース本体の開閉装置を設け、なおかつ中央片の内側面上の左上部位置と右上部位置に、それぞれ、鍵の吊り下げ部材を固着して、片手用キーケースを製作する。
【０００９】
次に請求項２の本発明について述べる。前記請求項１に示した、キーケース本体の開閉装置を製作する。
【００１０】
次に請求項３の本発明について述べる。前記請求項１に示した、キーケース本体の開閉装置の製造方法である。
【００１１】
次に請求項４の本発明について述べる。請求項１の片手用キーケースにおいて、鍵の吊り下げ部材が、車輪の形が横長の楕円形である楕円型の回転式キーホルダーであり、かつこの楕円型の回転式キーホルダーが、車輪の中心に中空の中心軸を、円周付近に中空の円周軸を、それぞれ設けた、二軸楕円型回転式キーホルダーである、片手用キーケースを製作する。
【００１２】
次に請求項５の本発明について述べる。前記請求項４の二軸楕円型回転式キーホルダーを製作する。
【００１３】
次に請求項６の本発明について述べる。請求項１の片手用キーケースにおいて、鍵の吊り下げ部材が、それぞれに固着用の穴を有する土台板と天板の、それぞれの上部位置の間を、フック金具を有するリングを貫通した中空の偏在軸で繋ぎ、かつ、この偏在軸の外側に中空の辺縁軸を設けた、偏在二軸型回転式キーホルダーである、片手用キーケースを製作する。
【００１４】
次に請求項７の本発明について述べる。前記請求項６の偏在二軸型回転式キーホルダーを製作する。
【発明の効果】
【００１５】
はじめに請求項１、請求項２、請求項３、請求項４、及び請求項６に共通する、本発明の効果について述べる。本発明では、左折返し片から中央片外側左部分までを形成する本体左部材と、右折返し片から中央片外側右部分までを形成する本体右部材との間の内側に、中央片の内側全部分を形成する本体中央部材を固着する事により、中央片の内側面の中央が、縦方向に沿って容易に山折に折れ曲がるキーケース本体の開閉装置を設けた。
この第一の効果として、図１２に示すごとく、中央片の内側面の中央Ａには溝の様な段差がないので、鍵の収納時に、キーケース本体の左右の台片の縁に鍵が引っかかる事がない。これは前記第一の課題を克服している。
また本発明は第二の効果として、中央片の中央部分に特別な加工をする事なく製造している。即ち、図１２に示すごとく、本体左部材の中央片外側左部分と本体中央部材の左部分Ｂ、及び、本体右部材の中央片外側右部分と本体中央部材の右部分Ｃを、それぞれ固着して厚みを増しただけで、相対的に、中央片の内側面の中央Ａが縦方向にそって薄く柔らかい状態となり、この部分から折れ曲がりやすくなる効果が生じているのである。これは前記第二の課題を克服している。
【００１６】
次に請求項４、請求項５、請求項６、及び請求項７に共通する、本発明の効果について述べる。本発明では、フック金具を垂らした状態の回転式キーホルダーの、車輪の頂点からフック金具の先端までの垂直方向の幅が、図7及び図９に示すごとく、従来の回転式キーホルダーよりも短い回転式キーホルダーを用いている。その効果として、従来の回転式キーホルダーよりも、吊り下げた鍵の先端が、キーケース本体の下端から外に露出しにくい。これは前記第三の課題を克服している。
【００１７】
以上のように、請求項１、請求項２、及び請求項３は、第一の課題及び第二の課題を同時に解決し、請求項４及び請求項６は、第一の課題、第二の課題、及び第三の課題のすべてを同時に解決し、請求項５及び請求項７は、第三の課題のみを解決している。
【図面の簡単な説明】
【００１８】
【図１】本発明の請求項１の片手用キーケースの開いた状態を示す正面図である。
【図２】本発明の請求項１の片手用キーケースの開いた状態を示す背面図である。
【図３】本発明の請求項１の片手用キーケースの開いた状態を示す平面図である。
【図４】本発明の請求項１の片手用キーケースの閉じた状態を示す正面図である。
【図５】本発明の請求項２及び請求項３のキーケース本体の開閉装置を示す正面図である。
【図６】本発明の請求項２及び請求項３のキーケース本体の開閉装置を示す平面図である
【図７】本発明の請求項４の片手用キーケースの開いた状態を示す正面図である。
【図８】本発明の請求項４の片手用キーケースの開いた状態を示す平面図である。
【図９】本発明の請求項６の片手用キーケースの開いた状態を示す正面図である。
【図１０】本発明の請求項６の片手用キーケースの開いた状態を示す平面図である。
【図１１】本発明の請求項６の実施例を示す正面図である。
【図１２】本発明の請求項１の片手用キーケースを、二つ折りにして開いた状態を示す平面図である。
【図１３】本発明の請求項６及び請求項７の実施の形態の説明図である。なお、二点鎖線は、偏在二軸型回転式キーホルダー７ｅを組み立てる際の、各部材の移動の軌跡を直線で示した、想像線である。
【図１４】本発明の請求項６及び請求項７の実施の形態の説明図である。なお、二点鎖線は、偏在二軸型回転式キーホルダー７ｆを組み立てる際の、各部材の移動の軌跡を直線で示した、想像線である。
【図１５】フック型金具８の正面図である。
【発明を実施するための形態】
【００１９】
はじめに請求項１の実施の形態について述べる。
図面を使って本発明の実施の形態を説明する。図１、図２、図３及び図４において、キーケース本体１ａは、左折返し片３から中央片外側左部分２ｂまでを形成する本体左部材３ｂの内側上に、左折返し台片３ａを、右折返し片４から中央片外側右部分２ｃまでを形成する本体右部材４ｂの内側上に、右折返し台片４ａを、本体左部材３ｂと本体右部材４ｂとの間の内側に、中央片２の内側全部分を形成する本体中央部材２ａを、それぞれ接着剤と縫い糸５によって固着している。そして開閉部材として、左折返し片３にバネホック６ａ２を、右折返し台片４aにバネホック６ａ１を、それぞれ固着している。さらに、鍵の吊り下げ部材として、本体中央部材２ａの内側面上の、左上部位置に二軸型回転式キーホルダー７ｂをカシメ金具７ａ１、カシメ金具7ａ2及びカシメ金具７ｂ１を用いて、右上部位置に回転式キーホルダー７ａをカシメ金具７ａ１及びカシメ金具７ａ２を用いて、それぞれ固着している。
なお、二軸型回転式キーホルダー７ｂはフック金具７ａ３及びリング金具７ｂ２を、回転式キーホルダー７ａはフック金具７ａ３のみを、それぞれ有している。
以上が請求項１の実施の形態である。
【００２０】
次に請求項２の実施の形態について述べる。
前記請求項１の実施の形態において、キーケース本体１ａは、図５及び図６に示すごとく、本体左部材３ｂと本体右部材４ｂとの間の内側に、本体中央部材２ａを、接着剤と縫い糸５によって固着している。
以上が請求項２の実施の形態である。
【００２１】
次に請求項３の実施の形態について述べる。
前記請求項２の実施の形態に示した、キーケース本体１ａの製造方法である。
以上が請求項３の実施の形態である。
【００２２】
次に請求項４の実施の形態について述べる。
前記請求項１の実施の形態において、キーケース本体１ａの鍵の吊り下げ部材として、図７及び図８に示すごとく、本体中央部材２ａの内側面上の、左上部位置に二軸楕円型回転式キーホルダー７ｄを、右上部位置に二軸楕円型回転式キーホルダー７ｃを、それぞれ、カシメ金具７ｃ１、カシメ金具７ｃ２、及びカシメ金具７ｃ３を用いて固着している。
以上が請求項４の実施の形態である。
【００２３】
次に請求項５の本発明の実施の形態について述べる。
図７及び図８において、二軸楕円型回転式キーホルダー７ｃ及び二軸楕円型回転式キーホルダー７ｄは、車輪の中心に中空の中心軸７ｃ４を、円周付近に中空の円周軸７ｃ５を、それぞれ有している。このうち二軸楕円型回転式キーホルダー７ｄは、フック金具７ａ３及びリング金具７ｂ２を，二軸楕円型回転式キーホルダー７ｃはフック金具７ａ３のみを、それぞれ有している。
以上が請求項５の本発明の実施の形態である。
【００２４】
次に請求項６の本発明の実施の形態について述べる。
前記請求項１の実施の形態において、キーケース本体１ａの鍵の吊り下げ部材として、図９、図１０、図１３、及び図１４に示すごとく、本体中央部材２ａの内側面上の、左上部位置に偏在二軸型回転式キーホルダー７ｆを、右上部位置に偏在二軸型回転式キーホルダー７eを、カシメ金具７ｅ１、カシメ金具７ｅ２、及びカシメ金具７ｅ１０を用いて、それぞれ固着している。
以上が請求項６の本発明の実施の形態である。
【００２５】
次に請求項７の本発明の実施の形態について述べる。
図９、図１０、図１３、及び図１４において、偏在二軸型回転式キーホルダー７ｅ及び偏在二軸型回転式キーホルダー７ｆは、それぞれに固着用の穴７ｅ３を有する土台板７ｅ４と天板７ｅ５の、それぞれの上部位置の間を、中空の偏在軸７ｅ６で繋ぎ、この偏在軸７ｅ６は、フック金具７ｅ７を有する二重リング７ｅ８を貫通している。さらに偏在軸７ｅ６の外側に中空の辺縁軸７ｅ９を設けている。そして、固着用のカシメ金具７ｅ１、カシメ金具７ｅ２、及びカシメ金具７ｅ１０を使用する。
なお、辺縁軸７ｅ９には、図１５に示したフック式金具８や、その他、ストラップ、キーホルダー等を繋ぐ事ができる。
以上が請求項７の本発明の実施の形態である。
【００２６】
ここで、請求項１、請求項２、請求項３、請求項４、及び請求項６すべてに共通する本発明の実施の形態について述べる。
キーケース本体１ａの、本体左部材３ｂ、左折り返し台片３ａ、本体右部材４ｂ、右折り返し台片４ａ、及び本体中央部材２ａの材料としては、天然皮革が最も適しており、次に適するのは合成皮革、合成樹脂等である。
これらの材料のうち、キーケース本体の外側となる部分に、波状や縦縞状のエンボス加工を施したものを用い、キーケース本体を操作する際に、滑り難くしてもよい。
また、二枚の材料の床面同士を接着剤で貼り合わせて用いてもよい。その際、心材として、厚紙、接着芯やスライサー等の合成繊維や合成樹脂等を用いて、内部を補強してもよい。
さらにまた、キーケース本体は、従来の片手用キーケースの様に、左折返し片と右折返し片の横幅が同じものや、キーケース本体の左右両端の形状が、山型や円弧型のものであってもよい。
開閉部材は、バネホック、コバホック、マグネットホック、面ファスナー等が適しており、その他に、ネオジム磁石等の両面マグネットを内蔵して固着する方法や、東京錠前製作所が開発したワンプッシュ式の開閉部材である、ワンタックを固着する方法がある。
以上が本発明の実施の形態である。
【実施例１】
【００２７】
図１１に示したのは、請求項６の本発明の実施例である。本実施例において、キーケース本体１ａの、本体左部材３ｂ、左折り返し台片３ａ、本体右部材４ｂ、右折り返し台片４ａ、及び本体中央部材２ａの材料は、それぞれ二枚の天然皮革の床面同士を接着剤で貼り合わせた物である。
【符号の説明】
【００２８】
１ａ  キーケース本体、２  中央片、２ａ  本体中央部材、２ｂ  中央片外側左部分、２ｃ  中央片外側右部分、３  左折返し片、３ａ  左折返し台片、３ｂ  本体左部材、４ 右折返し片、４ａ  右折返し台片、４ｂ  本体右部材、５  縫い糸、６ａ１  バネホック、６ａ２  バネホック、７ａ  回転式キーホルダー、７ａ１  カシメ金具、７ａ２  カシメ金具、７ａ３  フック金具、７ｂ  二軸型回転式キーホルダー、７ｂ１  カシメ金具、７ｂ２  リング金具、７ｃ  二軸楕円型回転式キーホルダー、７ｃ１  カシメ金具、７ｃ２  カシメ金具、７ｃ３  カシメ金具、７ｃ４  中心軸、７ｃ５  円周軸、７ｄ  二軸楕円型回転式キーホルダー、7ｅ  偏在軸型回転式キーホルダー、７ｅ１  カシメ金具、７ｅ２  カシメ金具、７ｅ３  固着用の穴、７ｅ４  土台板、７ｅ５  天板、７ｅ６  偏在軸、７ｅ７  フック金具、７ｅ８  二重リング、７ｅ９  辺縁軸、７ｅ１０  カシメ金具、７ｆ  偏在二軸型回転式キーホルダー、８  フック式金具、Ａ  中央片の内側面の中央、Ｂ  本体左部材の中央片外側左部分と本体中央部材の左部分、Ｃ  本体右部材の中央片外側右部分と本体中央部材の右部分
【図１】
2012125475.tif 000003
【図２】
2012125475.tif 000004
【図３】
2012125475.tif 000005
【図４】
2012125475.tif 000006
【図５】
2012125475.tif 000007
【図６】
2012125475.tif 000008
【図７】
2012125475.tif 000009
【図８】
2012125475.tif 000010
【図９】
2012125475.tif 000011
【図１０】
2012125475.tif 000012
【図１１】
2012125475.tif 000013
【図１２】
2012125475.tif 000014
【図１３】
2012125475.tif 000015
【図１４】
2012125475.tif 000016
【図１５】
2012125475.tif 000017